(57)【要約】【課題】  誤操作を防止するビデオ装置を提供する。【解決手段】  ビデオ装置は、ビデオ信号を受けとり、第１信号を有する少なくとも第１ピン（７）と、第２信号を有する少なくとも第２ピン（１１）と、第１信号と第２信号のいずれが所定の時刻でビデオ信号を定義するかを表示する信号を有する少なくとも第３ピン（１６）とを有するコネクタ（２）を有する。  第１ピン（７）と第２ピン（１１）は、少なくとも２つのタイプのビデオ信号で動作可能なビデオ回路（１８）に結合する。  第３ピン（１６）に結合する検出回路（４）は表示信号に従ってビデオ信号の特性を決定し、前記特性に応答する制御手段は制御信号（ＣＴＬ）を送出し、これにより、ビデオ回路（１８）はビデオ信号の前記のタイプのひとつにより動作する。
2006506831.tif 000002
【特許請求の範囲】
【請求項１】
ビデオ信号を受信し、少なくとも、第１信号を有する第１ピンと、第２信号を有する少なくとも第２ピンと、第１信号と第２信号のいずれが所定の時刻でのビデオ信号を定義するかを表示する信号を有する少なくとも第３ピン（１６；３６；５６）とを有するコネクタ（２；２２；４２）と、
少なくとも２つのタイプのビデオ信号により動作可能なビデオ回路（１８；３８；５８）に前記第１ピン及び前記第２ピンを結合する伝送手段と、
前記第３ピン（１６；３６；５６）に接続して表示信号に従ってビデオ信号の特性を決定する検出手段（４；２４；４４）と、
前記特性に応答して制御信号（ＣＴＬ；２６；５４，６６）を送出する制御手段（４；２４；４４）とを有し、
前記ビデオ回路（１８；３８；５８）がビデオ信号の前記タイプのひとつで動作する、ビデオ装置。
【請求項２】
前記第３ピン（１６）はスイッチ（６）を介して前記ビデオ回路（１８）に結合し、該スイッチ（６）は前記制御信号（ＣＴＬ）により制御される、請求項１記載のビデオ装置。
【請求項３】
前記制御手段（２４；４４）と前記ビデオ回路（３８；５８）は少なくとも制御信号の伝送が可能なバス（２６；５４，６６）を介してリンクする、請求項１記載のビデオ装置。
【請求項４】
前記制御手段は制御回路のパラメータを変更する手段を有し、それにより、ビデオ信号の前記タイプのひとつで動作させる、請求項３記載のビデオ装置。
【請求項５】
前記制御手段は制御回路のパラメータを変更する手段を有し、それにより、ビデオ回路によるビデオ処理を変更する、請求項１−４のひとつに記載のビデオ装置。
【請求項６】
前記ビデオ回路（１８）は前記ビデオ信号を記録する手段（１４）を有する、請求項１−５のひとつに記載のビデオ装置。
【請求項７】
前記制御手段（４）は更にユーザーによる選択に応答する請求項６記載のビデオ装置。
【請求項８】
前記ビデオ回路（３８）はビデオ信号をディジタルストリームに変換する手段（３０）を有する、請求項１−５のひとつに記載のビデオ装置。
【請求項９】
前記ビデオ回路（５８）はディスプレイ（６４）を有する、請求項１−５のひとつに記載のビデオ装置。
【請求項１０】
前記検出手段は、表示信号における５２μｓより短いパルスを計数する手段を有する、請求項１−９のひとつに記載のビデオ装置。
【発明の詳細な説明】
【技術分野】
【０００１】
本発明はビデオ装置に関する。ビデオシーケンスはいくつかの標準によるビデオ信号としてあらわすことができる。
【背景技術】
【０００２】
第１の既知の標準はコンポジット  ビデオ  ブランキング信号（ＣＶＢＳ）で、単一の信号から成り、輝度信号は２つの色成分を有するクロミナンス信号と周波数多重される。
【０００３】
別の既知の標準によると、ビデオシーケンスは、赤信号，緑信号，及び青信号（ＲＧＢ標準）によりあらわされる。
【０００４】
過去において、主にＲＧＢ信号が２つの目的のために使用されている。第１に、ビデオ表示の内部で（例えばＴＶセット）、受信したＣＶＢＳ信号はビデオ回路によりＲＧＢ信号に変換され、次に、ビデオ信号の各成分は陰極線管の対応するガンに供給される。第２に、ＲＧＢ信号は、ビデオ装置の間で、同じスカート（Ｓｃａｒｔ）コネクタで並列に送られるＣＶＢＳ信号によりあらわされる主ビデオシーケンスの上に重ねる（ＯＳＤ−オンスクリーンディスプレイとして）画像を記述するためにビデオ装置の間で使用されている。
【０００５】
最近、ビデオディジタル信号（これはディジタル回路によりＣＶＢＳ信号と同様にＲＧＢ信号に変換することができる）の使用の理由から、通常のスカートコネクタを使用して、ＲＧＢ信号を使用して主ビデオ信号をビデオ装置の間で伝送することがより一般的になってきている。
【０００６】
ＲＧＢ信号は２つの異なる機能（ＯＳＤのみ、又は主画像）をもつことができるので、一方の機能のために設計された回路又は装置を誤って他方の機能に使用することが発生する。
【発明の開示】
【発明が解決しようとする課題】
【０００７】
本発明はこの問題を解決することを目的とする。
【課題を解決するための手段】
【０００８】
本発明によるビデオ装置は、ビデオ信号を受信し、少なくとも、第１信号を有する第１ピンと、第２信号を有する少なくとも第２ピンと、第１信号と第２信号のいずれが所定の時刻でのビデオ信号を定義するかを表示する信号を有する少なくとも第３ピンとを有するコネクタと、少なくとも２つのタイプのビデオ信号により動作可能なビデオ回路に前記第１ピン及び前記第２ピンを結合する伝送手段と、前記第３ピンに接続して表示信号に従ってビデオ信号の特性を決定する検出手段と、前記特性に応答して制御信号を送出する制御手段とを有し、前記ビデオ回路がビデオ信号の前記タイプのひとつで動作する。
本発明の実施例によると；
−前記第３ピンはスイッチを介して前記ビデオ回路に結合し、該スイッチは前記制御信号により制御される；
−前記制御手段と前記ビデオ回路は少なくとも制御信号の伝送が可能なバスを介してリンクする；
−前記制御手段は制御回路のパラメータを変更する手段を有し、それにより、ビデオ信号の前記タイプのひとつで動作させる；
−前記制御手段は制御回路のパラメータを変更する手段を有し、それにより、ビデオ回路によるビデオ処理を変更する；
−前記ビデオ回路は前記ビデオ信号を記録する手段を有する；
−前記制御手段は更にユーザーによる選択に応答する；
−前記ビデオ回路はビデオ信号をディジタルストリームに変換する手段を有する；
−前記ビデオ回路はビデオデコーダである；
−前記ビデオ回路はディスプレイを有する。
【発明を実施するための最良の形態】
【０００９】
図１はビデオレコーダの一部を示し、スカートコネクタ２に受信したビデオシーケンスをハードディスクドライブ１４に記録する。もちろん、本発明はこのタイプの媒体に限定されず、ＤＶＤ又はテープのような任意の媒体を記録のために使用することができる。
【００１０】
コネクタ２は複数のピンを有し、ＣＶＢＳピン２０，Ｒピン１５，Ｇピン１１，Ｂピン７及びＦＢピン１６をふくむ。
【００１１】
ＣＶＢＳピン２０は、ＣＶＢＳ信号を別のビデオ装置，例えば再生モードのビデオカセットレコーダ（ＶＣＲ），又は、ＣＶＢＳ信号を圧縮ディジタル信号として発生する衛星，ケーブル又は地上デコーダ，から受けとる。
【００１２】
Ｒ，Ｇ，Ｂピン１５，１１，７はＲＧＢ信号を他の装置から受けとる。これらのＲＧＢ信号は、ＣＶＢＳ信号による主ビデオ信号にＯＳＤ情報として重ねるためのビデオ信号の一部のみか、又は完全なビデオ信号としての全ビデオスクリーンをあらわす。
【００１３】
ＦＢピン１６は別の装置から受け取った高速ブランク信号を有し、スクリーンの位置毎に、ＣＶＢＳ信号又はＲＧＢ信号のいずれを考慮すべきかを指示する。特に、ＣＶＢＳ信号とＲＧＢ信号はビデオ情報をライン毎に記述する。所定の時刻に、高速ブランク信号がローのときは、ＣＶＢＳ信号がスクリーンに表示する信号として使用され、一方、高速ブランク信号がハイのときは、代りに、ＲＧＢ信号が使用される。
【００１４】
ビデオデコーダ１０（例えばフィリップスＳＡＡ７１１１８）はＣＶＢＳピン２０と、Ｒ，Ｇ，Ｂピン１５，１１，７に接続される。ビデオデコーダ１０はＦＢピン１６にスイッチ回路６を介して接続される。このスイッチ回路６はビデオデコーダ１０の高速ブランク入力を、ＦＢピン１６又は接地に、以下に説明するように、選択的に接続する。
【００１５】
検出回路４はＦＢピン１６からの高速ブランク信号を受けとる。高速ブランク信号に従って、以下に更に説明するように、検出回路４はスイッチ回路６を制御する制御信号ＣＴＬを送出する。
【００１６】
ビデオデコーダ１０はスカートコネクタ２から受信したビデオシーケンスをあらわすビデオストリーム（例えば、ＩＴＵ６５６標準の４：２：２ストリーム）を発生する。次に、このディジタルストリームは、ＭＰＥＧエンコーダ１２によりＭＰＥＧストリームに変換され、ハードディスクドライブ１４により記録される（ビットストリームプロセサ（図示なし）を介して)。
【００１７】
従って、ビデオデコーダ１０と、ＭＰＥＧエンコーダ１２とハードディスクドライブ１４は、受信したアナログビデオ信号をディジタル記録する、ビデオ回路１８を実現する。
【００１８】
検出回路４は、例えば、マイクロプロセサであり、割込み入力のＦＢピン１６から高速ブランク信号を受けとる。ＣＶＢＳ信号のフィールド毎の始めに割込みがイネーブルされる。高速ブランク信号がハイのときに、割込みが発生する。高速ブランク信号のパルスの時間長（上昇端から下降端の間）が測定される。フィールドにわたる割込みの数が計数される。
【００１９】
ＦＢピン１６の高速ブランク信号がフレームのラインの全活性期間の間一定のときは（つまり、ビデオシーケンスがＯＳＤとしてのＲＧＢなしのＣＶＢＳによりあらわされる時−スカートコネクタ２のビデオ信号はＣＶＢＳのみであることを意味する−、又は全ビデオシーケンスがＲＧＢとしてあらわされる時−スカートコネクタ２のビデオ信号はＲＧＢのみであることを意味する）、制御回路４はスイッチ６を制御してＦＢピン１６をビデオデコーダ１０の高速ブランク入力に接続する。
【００２０】
検出回路(割込みをふくむマイクロプロセサ）に対する上述の例により、幅が５２μｓより小さな検出された高速ブランクパルスの数が０又は１ならば、高速ブランク信号はラインの全活性期間に対して一定であると考えることができる。
【００２１】
ＦＢピン１６の高速ブランク信号がフレームの間で変化するとき（つまり、スカートコネクタ２が主画像としてのＣＶＢＳ信号とＯＳＤとしてのＲＧＢ信号を受信する時）、制御回路４はスイッチ６を制御して、ビデオデコーダの高速ブランク入力を接地に接続し、ビデオデコーダ１０にパスされる高速ブランク信号を無効にする。この方法において、ビデオデコーダ１０はＣＶＢＳ信号であらわされるビデオシーケンスの上に重ねられたＯＳＤ情報を考慮せず、ビデオレコーダは、ＯＳＤ情報なしで、ビデオシーケンスのみを記録する。特に、このＯＳＤ情報は一般に記録のためには不要である。というのは、ＯＳＤ情報は一般にスカートコネクタ２に接続された装置(前述のその他の装置）のメニュー，時計，テープの残り時間等であるからである。
【００２２】
検出回路（割込みをふくむマイクロプロセサ）に対する上述の例により、幅が５２μｓより小さな検出された高速ブランク信号の数が２又はそれ以上のときは、高速ブランク信号が切換ったと考えることができる。
【００２３】
もちろん、受信した高速ブランク信号が切換ったときの検出回路４により動作する高速ブランク信号の消去はオプションとすることができ（例えばビデオレコーダのメニューで）、ユーザーはスカートコネクタ２で受信したＯＳＤ情報を記録するかしないかを選択することができる。
【００２４】
別の特徴として、検出回路４（例えばマイクロプロセサ）とビデオデコーダ１０はバス（図示なし）を介して通信することができ、従って、検出回路４は情報（パラメータ）を送って、検出回路４によって検出した信号のタイプに従ってビデオデコーダ１０を異なって構成するようにすることができる。
【００２５】
本発明の第２の実施例をやはりビデオレコーダについて図２に示す。
【００２６】
スカートコネクタ２２は複数のピン，特に、他のビデオ装置からＣＶＢＳ信号を受信するＣＶＢＳピン４０，他の装置からＲＧＢ信号を受信するＲピン３５，Ｇピン３１，Ｂピン２７，及び他の装置からの高速ブランク信号を有しスクリーンの位置毎にＣＶＢＳ信号及びＲＧＢ信号のいずれが考慮されるかを示すＦＢピン３６を有する。
【００２７】
ＣＶＢＳピン４０とＲ−，Ｇ−，Ｂ−ピン３５，３１，２７はビデオデコーダ３０（例えばテクウェルＴＷ９９０１集積回路）に接続される。ビデオデコーダ３０はビデオ回路３８であり、受信したＣＶＢＳ信号又はＲＧＢ信号をディジタルストリーム，ＩＴＵ６５６標準による正確な４：２：２ストリームに変換することができる。
【００２８】
２つの可能なアナログ入力（ＣＶＢＳ又はＲＧＢ）の間の選択はビデオデコーダ３０の内部の命令により行われ、シリアルバス３１を介して外部から制御される。
【００２９】
ビデオデコーダ３０は高速ブランク入力を具備せず、従って、ＣＶＢＳ信号と、ＣＶＢＳ信号によりあらわされる画像の上に重ねられるＲＧＢ信号を混合したビデオ信号を正確に変換することはできない。
【００３０】
図１に関して説明したように、ビデオデコーダ３０で発生したディジタルストリームはＭＰＥＧエンコーダ３２に送られ、対応するビデオシーケンスをＭＰＥＧストリームとしてハードディスクドライブ３４に記録する。
【００３１】
ＦＢピン３６（スカートコネクタ２２で受信する高速ブランク信号を有する）はマイクロコントローラ２４に接続される。マイクロコントローラはＦＢピン３６から受信した高速ブランク信号に従ってスカートコネクタ２２で受信するビデオ信号のタイプを決定する手段を有する。
【００３２】
受信したビデオ信号のタイプに従って、マイクロコントローラ２４はシリアルバス３１を介するシリアル通信によりビデオデコーダ３０に命令を送る。この命令は次の表に示されるようにビデオデコーダ３０における入力選択を制御する。
【００３３】
【表１】
2006506831.tif 000003
【００３４】
図３は本発明の第３の実施例として第１ビデオ装置６２を示す。第１ビデオ装置６２は、例えば、パーソナルビデオレコーダ（ＰＶＲ）で、再生部４６を有し、媒体，例えばＤＶＤに記録されるビデオシーケンスをあらわすＣＶＢＳ信号又はＲＧＢ信号を発生することができる。再生部４６からのＣＶＢＳ信号はスイッチ４８の第１入力に送られ、再生部４６からのＲＧＢ信号はＲＧＢスイッチ５０の第１入力に送られる。
【００３５】
第１ビデオ装置６２はビデオ信号の出力のための第１スカートコネクタ５２を有し、ビデオ信号の受信のための第２スカートコネクタ４２を有する。
【００３６】
第２スカートコネクタ４２はＣＶＢＳピン６０と，Ｒピン５５と，Ｇピン５１と，Ｂピン４７と，高速ブランク（ＦＢ）ピン５６を有する。ＣＶＢＳピン６０はスイッチ４８の第２入力に接続される。Ｒ−，Ｇ−，Ｂ−ピンはＲＧＢスイッチ５０の第２入力に接続される。
【００３７】
スイッチ４８の出力は第１スカートコネクタ５２のＣＶＢＳピン８０に接続され、これによりスイッチ４８は、第１スカートコネクタ５２のＣＶＢＳピン８０を、再生部４６からのＣＶＢＳ出力と、第２スカートコネクタ４２のＣＶＢＳピン６０とに選択的に接続する。
【００３８】
ＲＧＢスイッチ５０はＲＧＢ出力（ＲＧＢ信号の出力のための３つの物理的出力）を有し、第１スカートコネクタ５２のＲＧＢピン６７，７１，７５に接続される。これにより、ＲＧＢスイッチ５０は第１スカートコネクタ５２のＲＧＢピン６７，７１，７５を、再生部４６からのＲＧＢ出力と、第２スカートコネクタ４２のＲＧＢピン４７，５１，５５とに、選択的に接続する。
【００３９】
第１ビデオ装置６２は、さらに、マイクロコントローラ４４を有し、これは第２スカートコネクタ４２の高速ブランクピン５６に接続される。マイクロコントローラ４４は第１ビデオ装置のシリアルバス５４（ＲＳ２３２）へのリンクを有し、マイクロコントローラ４４はシリアルバス５４に接続される第２ビデオ装置６４とシリアルデータ通信を行う。
【００４０】
第２ビデオ装置６４は第１スカートコネクタ５２と接続される。第２ビデオ装置６４は高速ブランク入力を具備せず、従って、第１スカートコネクタ５２の上のＣＶＢＳ信号とＲＧＢ信号との混合信号をサポートすることはできない。
【００４１】
上述の実施例で、第２ビデオ装置６４はプラズマディスプレイでビデオ入力としてシンチコネクタ６８を有し（高速ブランクピンはない）、シリアルバス６６で第１ビデオ装置６２のシリアルバス５４に接続される。
【００４２】
特別のケーブル７０が第１ビデオ装置（ＰＶＲ）６２の第１スカートコネクタ５２と、第２ビデオ装置（プラズマディスプレイ）６４とのリンクを提供し、両コネクタの対応するピン（ＣＶＢＳ，Ｒ，Ｇ，Ｂ）を相互に接続する。
【００４３】
第２ビデオ装置（プラズマディスプレイ）６４とこれを第１ビデオ装置（ＰＶＲ）６２にリンクするケーブルはビデオ回路５８であり、これは、混合したＣＶＢＳ信号とＲＧＢ信号を処理する能力はない。
【００４４】
スイッチ４８とＲＧＢスイッチ５０はマイクロプロセサ（例えばマイクロコントローラ４４の中にふくまれるが、別のマイクロプロセサを使用することもできる）により制御され、第１スカートコネクタ５２従って第２ビデオ装置（プラズマディスプレイ）６４に送られるビデオ信号のソースを選択する。第２ビデオ装置（プラズマディスプレイ）６４により入力として使用されるビデオ信号（ＣＶＢＳ又はＲＧＢ）のタイプはユーザーによる選択が可能であるが、又、シリアルバス６６の上に受信される適当な命令によってリモート制御することもできる。
【００４５】
第２ビデオ装置６４によりＣＶＢＳ信号が入力として使用されるときは、第１装置（ＰＶＲ）６２のスイッチ４８はユーザーの選択に従って設定される。ユーザーが第２スカートコネクタ４２で受信するビデオ信号を見ることを望むときは、スイッチ４８は第２スカートコネクタ４２のＣＶＢＳピン６０を第１スカートコネクタ５２のＣＶＢＳピン８０に接続する。ユーザーが再生部４６で再生されるビデオシーケンスを見ることを望むときは、スイッチ４８は、再生部４６のＣＶＢＳ出力を第１スカートコネクタ５２のＣＶＢＳピン８０に接続する。
【００４６】
同様に、第２ビデオ装置６４によりＲＧＢ信号が入力として使用されるときは、第１装置（ＰＶＲ）６２のＲＧＢスイッチ５０は、第２スカートコネクタ４２又は再生部４６をＲＧＢビデオ信号のソースとして選択する。
【００４７】
第１ビデオ装置（ＰＶＲ）６２はいずれのタイプのビデオ信号が第２ビデオ装置（プラズマディスプレイ）６４で使用されるかについての情報を受けとる必要がない。スイッチ４８とＲＧＢスイッチ５０は、ユーザーによって要求されるビデオ信号のソースに従って（第２スカートコネクタ４２又は再生部４６）、第２ビデオ装置６４で使用されるビデオ信号のタイプに依らずに、同時に設定されることができる。
【００４８】
マイクロコントローラ４４は第２スカートコネクタ４２のピン５６から高速ブランク信号を受けとる。ＣＶＢＳ信号とＲＧＢ信号のいずれが任意の時刻でのビデオ信号を定義するか表示する前記高速ブランク信号に従って、マイクロコントローラ４４は、第２スカートコネクタ４２で受信されるビデオ信号のタイプに関する情報（“検出されたタイプ”）を発生することができる。
【００４９】
第２スカートコネクタ４２がビデオソースとして使用されるときは（スイッチ４８とＲＧＢスイッチ５０は第２スカートコネクタ４２を第１スカートコネクタ５２に接続する）、第２ビデオ装置（プラズマディスプレイ）６４の入力として使用されるビデオ信号のタイプを制御する命令が、マイクロコントローラ４４により、検出されたタイプに従って、シリアルバス５４と６６を介して、第２ビデオ装置６４に送られる。次の表は、検出されたタイプに従って第２ビデオ装置６４に送られる命令を要約している。
【００５０】
【表２】
2006506831.tif 000004
【００５１】
このように、第２ビデオ装置６４の動作のベストモード（ＣＶＢＳ又はＲＧＢ）の自動選択が、第２スカートコネクタ４２で受信されるビデオ信号のタイプが何であれ、行われる。
【図面の簡単な説明】
【００５２】
【図１】第１のビデオレコーダを示す。
【図２】第２のビデオレコーダを示す。
【図３】相互に接続された第１及び第２のビデオ装置を示す。
【符号の説明】
【００５３】
２  スカートコネクタ
４  検出回路
６  スイッチ
７，１１，１５  ＲＧＢピン
１０  ビデオデコーダ
１２  ＭＰＥＧエンコーダ
１４  ハードディスクドライブ
１６  ＦＢピン
１８  ビデオ回路
２０  ＣＶＢＳピン
【図１】
2006506831.tif 000005
【図２】
2006506831.tif 000006
【図３】
2006506831.tif 000007
【国際調査報告】
2006506831.tif 000008
2006506831.tif 000009